(57)【要約】  【解決手段】  下塗りペイント、弾性樹脂層およびつや消し成分により構成される。下塗りペイントはヘッド表面に塗布され、弾性樹脂層は下塗りペイントの上に塗布され、つや消し成分は予め弾性樹脂層内に混入される。光線が弾性樹脂層まで入射した時、弾性樹脂層内のつや消し成分により二重の散乱の効果が提供されることにより、下塗りペイントから反射して射出した光線の強度を相対的に弱めることができるように構成されている。  【効果】  ヘッド表面の下塗りペイントにおいて弾性樹脂層を塗布し、弾性樹脂層には予めつや消し成分が混入されることにより、光線がヘッド表面まで投射された時、弾性樹脂層により二重の深層な散乱が有効に形成されるため、表面の散乱率、視覚効果、触感と制震性を高めるだけではなく、下塗りペイントを保護し、さらにヘッドの付加価値を高めることができる。【選択図】    図１
2005342444.tif 000002
【特許請求の範囲】
【請求項１】
下塗りペイント（２）、弾性樹脂層（３）およびつや消し成分（３１）により構成されるゴルフクラブヘッドのコーティング層であって、下塗りペイント（２）はヘッド表面（１）に塗布され、下塗りペイント（２）により光線を反射することができ、弾性樹脂層（３）は下塗りペイント（２）の上に塗布され、弾性樹脂層（３）により上記光線を通過することができ、つや消し成分（３１）は予め弾性樹脂層（３）内に混入され、つや消し成分（３１）により上記光線を散乱することができ、上記光線が弾性樹脂層（３）まで入射した時、弾性樹脂層（３）内のつや消し成分（３１）により二重の散乱の効果が提供されることにより、下塗りペイント（２）から反射して射出した光線の強度を相対的に弱めることができることを特徴とするゴルフクラブヘッドのコーティング層。
【請求項２】
下塗りペイント（２）はフェノリックアルデヒドペイント、アルコール酸ペイント、ポリウレタンペイント、ニトロ基ペイント、ポリエステルペイント、アクリルペイントから選択することを特徴とする請求項１記載のゴルフクラブヘッドのコーティング層。
【請求項３】
下塗りペイント（２）が塗布する厚さは１０μmから１００μmの間に介在することを特徴とする請求項１記載のゴルフクラブヘッドのコーティング層。
【請求項４】
弾性樹脂層（３）は弾性材料により製成され、例えばゴム、ポリウレタン、熱塑性弾性材、高分子弾性樹脂により製成されることを特徴とする請求項１記載のゴルフクラブヘッドのコーティング層。
【請求項５】
弾性樹脂層（３）が塗布する厚さは２０μmから２００μmの間に介在することを特徴とする請求項１記載のゴルフクラブヘッドのコーティング層。
【請求項６】
つや消し成分（３１）は微細粉末状の二酸化ケイ素、タルク、ステアリン酸のアルミニウム、ステアリン酸のカルシウム、低分子弾性樹脂から選択することを特徴とする請求項１記載のゴルフクラブヘッドのコーティング層。
【請求項７】
弾性樹脂層（３）を塗布する時、弾性樹脂層（３）の塗料には硬化剤を添加することにより、弾性樹脂層（３）の硬化の速度を速めることができることを特徴とする請求項１記載のゴルフクラブヘッドのコーティング層。
【発明の詳細な説明】
【技術分野】
【０００１】
本発明はゴルフクラブヘッドのコーティング層に関するもので、特につや消し成分を含んだ弾性樹脂層をヘッド表面の下塗りペイントの上に塗布することにより、表面の散乱率を高めて表面欠陥を隠すことができるコーティング層の構造に係るものである。
【背景技術】
【０００２】
ゴルフというスポーツは通常として室外で行うもので、使用者がゴルフクラブを手に取って太陽の下でスイングする時、太陽の光は常にゴルフクラブヘッドの表面を照射し、そして反射して使用者の両目まで照射する。もし、反射の光線が明る過ぎると、反射の光線により使用者の肉眼を邪魔してしまい、使用者が一心不乱で打球を行うことができなくなるため、スイング前における狙いの動作に影響を及ぼしてしまうという問題点があった。
【０００３】
上述した問題点を克服するため、図２に示すように、従来のゴルフクラブヘッドには通常としてヘッド表面１において下塗りペイント２を塗布し、それから下塗りペイント２内に予めつや消し成分２１を混入する。このように、下塗りペイント２は錆防止と飾り付けの要求性に符合するだけではなく、さらに光線の散乱率を適当に増やすことができる。これにより、下塗りペイント２のつや消し成分２１により入射された光線を適当に散乱することができるため、反射光線の強度を弱めることができ、さらに反射光線により使用者の狙いの動作に影響を及ぼすのを避けることができるようにとしたものがある。
【０００４】
また、ゴルフクラブヘッドの製造方法としては、静電塗装機により電荷を帯びた塗料を霧状で噴霧するとともに、前記霧状の塗料が噴霧された噴霧空間に金属製のゴルフクラブヘッドを順次通過させることより該ゴルフクラブヘッドを塗装することができるようにとしたものがある（例えば、特許文献１を参照）。
【特許文献１】日本国公開特許公報特開２００２−２１００４８号
【発明の開示】
【発明が解決しようとする課題】
【０００５】
上記のような従来のゴルフクラブヘッドの構造においては、光線が下塗りペイント２の表面まで投射した時、下塗りペイント２のそのものの表面には反射の能力を有し、さらに表面に露出したつや消し成分２１は限られているため、大部分の光線は実際として下塗りペイント２そのものから直接反射するように形成される。上述した原因に基づいて、下塗りペイント２につや消し成分２１を直接混入させても、その散乱の効果は表面だけに限られるもので、下塗りペイント２内のつや消し成分２１は散乱の効果を有効に発揮することができない。さらに、もし一部分の光線が下塗りペイント２の表面欠陥２２まで投射した場合、光線には限られた散乱しか生じることがないため、光線はやはり充分な明るさで簡単に外部へ反射することになる。これにより、下塗りペイント２の表面欠陥２２は肉眼により簡単に目視することができるため、製品の歩留りを下げてしまったり、或いはヘッド表面１に対してハブ研磨の処理を行わなければならなくなったりするという問題点があった。そのため、上記のような従来のゴルフクラブヘッドの構造をさらに改良しなければならない。
【０００６】
本発明はこのような問題点に鑑みて発明したものであって、その目的とするところは、ヘッド表面の下塗りペイントにおいて弾性樹脂層を塗布し、弾性樹脂層には予めつや消し成分が混入されることにより、光線がヘッド表面まで投射された時、弾性樹脂層により二重の深層な散乱が有効に形成されるため、表面の散乱率、視覚効果、触感と制震性を高めるだけではなく、下塗りペイントを保護し、さらにヘッドの付加価値を高めることができるゴルフクラブヘッドのコーティング層を提供しようとするものである。
【０００７】
本発明の第一の目的は、ヘッド表面の下塗りペイントにおいてつや消し効果を有した弾性樹脂層を塗布することにより、二重の深層な散乱が形成されると共に、下塗りペイントの表面欠陥を有効に隠すことができるため、表面の散乱率、視覚効果と触感を高めることができるゴルフクラブヘッドのコーティング層を提供しようとするものである。
【０００８】
本発明の第二の目的は、ヘッド表面の下塗りペイントにおいて弾性樹脂層を塗布することにより、下塗りペイントを保護し、色褪せを防ぐことができるため、下塗りペイントの耐用性を高めることができるゴルフクラブヘッドのコーティング層を提供しようとするものである。
【０００９】
本発明の第三の目的は、ヘッド表面の下塗りペイントにおいて弾性樹脂層を塗布し、弾性樹脂層の厚さを調整することにより、弾性による制震の効果が形成されるため、ヘッドの制震性を高めることができるゴルフクラブヘッドのコーティング層を提供しようとするものである。
【００１０】
本発明の第四の目的は、ヘッド表面の下塗りペイントにおいて弾性樹脂層を塗布し、弾性樹脂層に硬化剤を適当に添加することにより、均一かつ比較的厚い厚さが形成されるため、コーティング層の均一度を高めることができるゴルフクラブヘッドのコーティング層を提供しようとするものである。
【００１１】
上記目的を達成するために、本発明によるゴルフクラブヘッドのコーティング層は、下記のようになるものである。すなわち、
下塗りペイント、弾性樹脂層およびつや消し成分により構成される。下塗りペイントはヘッド表面に塗布され、下塗りペイントにより光線を反射することができる。弾性樹脂層は下塗りペイントの上に塗布され、弾性樹脂層により上記光線を通過することができる。つや消し成分は予め弾性樹脂層内に混入され、つや消し成分により上記光線を散乱することができる。上記光線が弾性樹脂層まで入射した時、弾性樹脂層内のつや消し成分により二重の散乱の効果が提供されることにより、下塗りペイントから反射して射出した光線の強度を相対的に弱めることができる。
【００１２】
本発明によるゴルフクラブヘッドのコーティング層は、下塗りペイントはフェノリックアルデヒドペイント、アルコール酸ペイント、ポリウレタンペイント、ニトロ基ペイント、ポリエステルペイント、アクリルペイントから選択することもできる。また、下塗りペイントが塗布する厚さは１０μmから１００μmの間に介在することもできる。また、弾性樹脂層は弾性材料により製成され、例えばゴム、ポリウレタン、熱塑性弾性材、高分子弾性樹脂により製成されることもできる。また、弾性樹脂層が塗布する厚さは２０μmから２００μmの間に介在することもできる。また、つや消し成分は微細粉末状の二酸化ケイ素、タルク、ステアリン酸のアルミニウム、ステアリン酸のカルシウム、低分子弾性樹脂から選択することもできる。また、弾性樹脂層を塗布する時、弾性樹脂層の塗料には硬化剤を添加することにより、弾性樹脂層の硬化の速度を速めることもできる。
【発明の効果】
【００１３】
本発明のゴルフクラブヘッドのコーティング層によれば、ヘッド表面の下塗りペイントにおいてつや消し効果を有した弾性樹脂層を塗布することにより、二重の深層な散乱が形成されると共に、下塗りペイントの表面欠陥を有効に隠すことができるため、表面の散乱率、視覚効果と触感を高めることができるという利点がある。
【００１４】
本発明のゴルフクラブヘッドのコーティング層によれば、ヘッド表面の下塗りペイントにおいて弾性樹脂層を塗布することにより、下塗りペイントを保護し、色褪せを防ぐことができるため、下塗りペイントの耐用性を高めることができるという利点がある。
【００１５】
本発明のゴルフクラブヘッドのコーティング層によれば、ヘッド表面の下塗りペイントにおいて弾性樹脂層を塗布し、弾性樹脂層の厚さを調整することにより、弾性による制震の効果が形成されるため、ヘッドの制震性を高めることができるという利点がある。
【００１６】
本発明のゴルフクラブヘッドのコーティング層によれば、ヘッド表面の下塗りペイントにおいて弾性樹脂層を塗布し、弾性樹脂層に硬化剤を適当に添加することにより、均一かつ比較的厚い厚さが形成されるため、コーティング層の均一度を高めることができるという利点がある。
【発明を実施するための最良の形態】
【００１７】
本発明の実施の形態について、以下、図面を参照して説明する。
【実施例１】
【００１８】
図１を参照すると、本発明の実施例のゴルフクラブヘッドのコーティング層はヘッド表面１において順序に従って下塗りペイント２と弾性樹脂層３を塗布する。ヘッド表面１はいかなる材質、形式を有したゴルフクラブヘッドのいかなる部位からも選択することができ、例えば金属、合金、カーボンなどの材料により製成されたウッド型クラブ、アイアン型クラブまたはパターのヘッドのクラウン板、ソール板、サイド板、フェース板または蓋板から選択することができる。下塗りペイント２は好ましくは反射性の高い塗料から選択することができ、例えばフェノリックアルデヒドペイント、アルコール酸ペイント、ポリウレタンペイント、ニトロ基ペイント、ポリエステルペイント、アクリルペイントから選択することができる。下塗りペイント２は引き延ばし塗布、噴出塗布または浸漬などの方式によりヘッド表面１に塗布することができる。下塗りペイント２は異なる顔色を選択することができ、さらに下塗りペイント２が塗布する厚さは好ましくは１０μmから１００μmの間に介在し、特に２０μmから４０μmの間に介在する。また、通常としてヘッド表面１そのものの表面に少数な表面欠陥２２が存在するのは避けられない問題である。
【００１９】
再び図１を参照すると、本発明の弾性樹脂層３は通常として透明な弾性材料により製成されると共に、弾性樹脂層３には貫穿性が高く反射率が低いという性質を有し、例えばポリウレタン（PU，polyurethane）、ゴム、熱塑性弾性材（thermoplastic elastomer）または高分子弾性樹脂などにより製成される。弾性樹脂層３は適当な有機溶剤と配合し、さらに引き延ばし塗布、噴出塗布または浸漬などの方式によって下塗りペイント２の上に塗布される。弾性樹脂層３が塗布する厚さは好ましくは２０μmから２００μmの間に介在する。特に、２０μmから２００μmの間に介在する。つや消し成分３１は予め弾性樹脂層３内に混入され、そしてつや消し成分３１は散乱性のよい材料を選択することができ、例えば微細粉末状の二酸化ケイ素、タルク、ステアリン酸のアルミニウム、ステアリン酸のカルシウム、低分子弾性樹脂などから選択することができる。
【００２０】
再び図１を参照すると、使用者が太陽の光の下で本発明のゴルフクラブヘッドを使用すると、光線は先ず弾性樹脂層３まで投射される。この時、弾性樹脂層３そのものは反射率が低く、しかも透明な材質に属するため、光線は弾性樹脂層３に入射することができ、さらに弾性樹脂層３内の全てのつや消し成分３１を利用して散乱の作用を行う。上記散乱の作用は弾性樹脂層３の表面だけを制限しないため、相対的に比較的よい散乱の効果を有するように形成される。それから、散乱後の光線は実質上として同じ入射角度に沿って下塗りペイント２の表面まで投射することができる。この時、通常として光線は下塗りペイント２の表面から直接反射して外部へ向かって射出するように形成される。光線がいかなる角度から入射または反射しても、光線が反射期間においては再び弾性樹脂層３を経なければならず、そして光線の強度を減らすため、つや消し成分３１を利用して再び乱射を行わなければならない。これにより、肉眼でゴルフクラブヘッドを目視する時、下塗りペイント２の反射光線の強度がすでに弱まったため、使用者に眩しい感を与えることがない。また、下塗りペイント２の表面に少数な表面欠陥２２が形成されても、つや消し成分３１が有した比較的よい二重の散乱の作用により射出された光線の強度が少し弱いため、表面欠陥２２を有効に隠すことができ、さらに下塗りペイント２の表面における平らさの要求性を相対的に減らすことができる。
【００２１】
また、弾性樹脂層３は下塗りペイント２の上方に塗布されたため、下塗りペイント２の摩損、色落ち、酸化または脱落を避けることができ、さらに比較的よい弾性の触感を有するように形成される。その他に、弾性樹脂層３そのものには弾性による制震の能力を有するため、弾性樹脂層３の厚さを増やすことにより、本発明においては適当な弾性による制震の効果を形成することができる。もし、下塗りペイント２と弾性樹脂層３をゴルフクラブヘッドのフェース板の背面に塗布すると、打球の余震を吸収したり、またはフェース板の弾性による変形能力を小幅に調整したりすることができる。
【００２２】
さらに、ヘッド表面１には製品の需要性に応じて表面曲率の変化、隅の折り曲げまたはアンダーカット（undercut）などの各種の不規則な形状の変化が常に要求され勝ちで、上記のような構造には高低の落差が生じるため、弾性樹脂層３の塗料を塗布する時、比較的高い位置の塗料は重力により低い位置に向かって流動し勝ちで、そのために均一な弾性樹脂層３の形成には不利になる。塗布の作業において、弾性樹脂層３の厚さを増やした場合、上記均一度の問題はさらに明らかになる。そのため、もし製品の需要性に応じて弾性樹脂層３の厚さを増やそうとした時、本発明においては弾性樹脂層３の塗料の内に弾性樹脂材料に適用した硬化剤を余分に添加し、粘着度と分子連結速度を適当に増やすことにより、弾性樹脂層３の塗布による硬化の速度を速めることができるため、均一な厚さを有した弾性樹脂層３を形成することができる。
【産業上の利用可能性】
【００２３】
上述の如く、図２に示す従来のゴルフクラブヘッドのコーティング層によれば、下塗りペイント２内につや消し成分２１を直接混入するが、良好な散乱の効果を獲得することができないなどの問題点があったが、図１に示す本発明のゴルフクラブヘッドのコーティング層によれば、下塗りペイント２の上に弾性樹脂層３を塗布し、弾性樹脂層３にはつや消し成分３１が混入されることにより、表面の散乱率を高めることができると共に、、視覚効果、触感と制震性を高めることができ、さらに下塗りペイントを保護し、ヘッドの付加価値を高めることができる。
【００２４】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２５】
【図１】本発明の実施例のゴルフクラブヘッドのコーティング層を説明するための断面図である。
【図２】従来のゴルフクラブヘッドのコーティング層を説明するための断面図である。
【符号の説明】
【００２６】
１    ヘッド表面                        ２    下塗りペイント
２１    つや消し成分                    ２２    表面欠陥
３    弾性樹脂層                      ３１    つや消し成分
【図１】
2005342444.tif 000003
【図２】
2005342444.tif 000004